(57)【特許請求の範囲】
【請求項１】
積重載置した複数の段台１、２、３、４を順次に引出し自在又は押入れ自在に連繋した収納式階段台であって、最下段の段台１後部から始端16ａを発する巻掛伝動体16を、各段台１、２、３、４の前後に配置した回転車17、18、19にジグザグに巻き掛け、最上段の段台４の後方回転車19は、各段台１、２、３の後方回転車18よりも後方に配置し、最上段の段台４の後方回転車19に巻き掛けた巻掛伝動体16を最上段の段台４下部に別途配置した回転車20に巻き掛けると共に、巻掛伝動体16の終端16ｂを最下段の段台１に固定し、巻掛伝動体16の始端16ａには巻掛伝動体16を引張する付勢手段22を設けた段台連動手段Ｗを、少なくとも各段台１、２、３、４の幅方向左右に配置すると共に、各段台連動手段Ｗを連動させたことを特徴とする収納式階段台。
【請求項２】
積重載置した複数の段台１、２、３、４を順次に引出し自在又は押入れ自在に連繋した収納式階段台であって、最下段の段台１後部から始端16ａを発する巻掛伝動体16を、各段台１、２、３、４の前後に配置した回転車17、18、19にジグザグに巻き掛け、最上段の段台４の後方回転車19は、各段台１、２、３の後方回転車18よりも後方に配置し、最上段の段台４の後方回転車19に巻き掛けた巻掛伝動体16を最上段の段台４下部に別途配置した回転車20に巻き掛けると共に、巻掛伝動体16の終端16ｂを最下段の段台１に固定し、巻掛伝動体16の始端16ａには巻掛伝動体16を引張する付勢手段22を設けた段台連動手段Ｗを設け、上下で隣接する段台１、２、３、４間に、上段の段台２、３、４が下段の段台１、２、３をその往復直線軌道に沿って案内支持する直線運動案内手段Ｐを設けたことを特徴とする収納式階段台。
【請求項３】
積重載置した複数の段台１、２、３、４を順次に引出し自在又は押入れ自在に連繋した収納式階段台であって、最下段の段台１後部から始端16ａを発する巻掛伝動体16を、各段台１、２、３、４の前後に配置した回転車17、18、19にジグザグに巻き掛け、最上段の段台４の後方回転車19は、各段台１、２、３の後方回転車18よりも後方に配置し、最上段の段台４の後方回転車19に巻き掛けた巻掛伝動体16を最上段の段台４下部に別途配置した回転車20に巻き掛けると共に、巻掛伝動体16の終端16ｂを最下段の段台１に固定し、巻掛伝動体16の始端16ａには巻掛伝動体16を引張する付勢手段22を設けた段台連動手段Ｗを設け、上下で隣接する段台１、２、３、４同士間には、中間部位を相互に支点としてＸ字状に交差する同長のリンク12、13の前後で対峙する一端部12ａ、13ａを各段台１、２、３、４に枢着すると共に、他端部12ｂ、13ｂを各段台１、２、３、４の幅方向にスライド自在に装着したことを特徴とする収納式階段台。
【請求項４】
段台連動手段Ｗの回転車20を駆動源Ｍに連繋したことを特徴とする請求項１、２又は３記載の収納式階段台。
【請求項５】
最下段及び最上段の段台１、４を除く各段台２、３が設定された引出し長さＬを突出した引出し完了状態で、前記各段台２、３の後退移動を抑止すると共に、蹴込Ｋが同一垂直面上に位置する様に下段の段台１、２が上段の段台２、３下部に収納完了した状態で、前記抑止を解除する様に成した順行押入れ手段Ｘを設けたことを特徴とする請求項１、２、３又は４記載の収納式階段台。
【請求項６】
順行押入れ手段Ｘは、中段の段台２、３の適所に、前端部24ａが後端部24ｂ及び支点24ｃより下方に位置する揺動杆24の支点24ｃを枢着し、上段の段台３、４には揺動杆24の後端部24ｂを支持する前後に長い軌道27を設けると共に、該軌道27の前端には、中段の段台２、３の引出し完了状態で、前記後端部24ｂが位置する鉤状の段落28を凹設し、下段の段台１、２には、該段台１、２が中段の段台２、３下部に収納完了した状態で、揺動杆24の前端部24ａを押圧して軌道27上方に揺動杆24の後端部24ｂを揺動保持する掛け外し片29を設けて成ることを特徴とする請求項５記載の収納式階段台。
【請求項７】
各段台１、２、３を最上段の段台４下部に各蹴込Ｋが同一垂直面上に位置する様に収納した収納形態において、最下段及び最上段の段台１、４を除く各段台２、３の前進移動を抑止すると共に、下段の段台１、２の引出し完了状態で前記抑止を解除する様に成した順行引出し手段Ｙを設けたことを特徴とする請求項１、２、３、４、５又は６記載の収納式階段台。
【請求項８】
順行引出し手段Ｙは、最上段及び最下段の段台１、４を除く各段台２、３の後部に、支点を枢軸31ａとして上下に揺動する梃子杆31を設け、該梃子杆31の後端には、上方へ立ち上がった鉤状の掛止部32と、該掛止部32に連続した後方降下状の傾斜部33とを設け、最上段の段台４の後部には、傾斜部33が摺接すると共に、掛止部34が下方より係合する繋止部38を設け、下段の段台１、２の後方上部には、該段台１、２の引出し完了状態で梃子杆31前端を上方へ押圧保持する掛け外し体40を設けて成ることを特徴とする請求項７記載の収納式階段台。
【発明の詳細な説明】
【０００１】
【発明の属する技術分野】
本発明は、コーラス台、集合撮影台、或いは椅子を設置して観客台等となる収納式階段台に関する。
【０００２】
【従来の技術】
従来、この種の階段台は、積重載置した複数の段台を順次に引出し又は押入れ自在に連繋したものであり、段台の引出し又は押入れ操作は手動若しくは自動で成されている。
最上段の段台は、下段の段台を収納する様に床面に設置され、正面に下段の段台が出入りする開口部を設けて成り、最下段の段台はその前後に床面を走行する走行脚を設け、その他の段台は、その前端部に下段の段台上面の踏板上を転動するコロを設け、後端部には床面を走行する走行脚を設けている。
そして、最上段を除く各段台の後端には、段台の引出し時に、その上段の段台前端の蹴込を係止する部材が設けられており、下段の段台が引き出され、後端の係止部材が上段の段台の蹴込を係止することで上下で隣接する段台同士が相互に連繋する様に成している。
段台の押入れ時には、下段の段台の踏板後端が上段の段台の走行脚に当接することにより、上下で隣接する段台同士が相互に連繋する様に成している。
又、引出し又は押入れが自動化されたものでは、上記構成の階段台の最下段の段台にモータ駆動の走行輪が取付けられ、この走行輪の正逆回転によって最下段が前後動し、上記の様に連繋された各段台を引出し又は押入れることにより、階段形態又は収納形態に変形させている。
【０００３】
【発明が解決しようとする課題】
しかしながら、上記構成の階段台は、収納形態又は階段形態に拘らず、下段のの段台には、その上の段台の荷重がかかっており、その荷重は下段のものほど大きいので、下段の段台の踏板を転動するコロが上段の段台に取付けられていても、必ずしも最下段より順次に引出し又は押入れできず、その引出し又は押入れ過程も上段と下段では個々に異なって不規則に動作し、必ずしも真っ直ぐに進退しなかった。
このため、収納形態では、各段台の蹴込が同一垂直面上に一様になく上下、左右でガタガタとなり、各段台の蹴込が同一垂直面上で整列する様に各段台を調整せねばならず、又階段形態でも各段台の踏面（踏板の設定された引出し長さ）が幅方向左右で一定でなく、各段台の蹴込がその下方の段台の係止部材に当接する様にして踏面を調整せねばならなかった。
そこで、本発明は、各段台が幅方向において一様に設定された引出し長さ（踏面）を以て所望の階段形態へ確実に変形できると共に、各段台の蹴込が同一垂面上に配する所望の収納形態へ確実に変形でき、確実に最下段より順次に引出し又は押入れできる様にした収納式階段台を提供することを目的としている。
【０００４】
【課題を解決するための手段】
本発明は、上記課題に鑑み、積重載置した複数の段台を順次に引出し自在又は押入れ自在に連繋した収納式階段台であって、最下段の段台後部から始端を発する巻掛伝動体を、各段台の前後に配置した回転車にジグザグに巻き掛け、最上段の段台の後方回転車は、各段台の後方回転車よりも後方に配置し、最上段の段台の後方回転車に巻き掛けた巻掛伝動体を最上段の段台下部に別途配置した回転車に巻き掛けると共に、巻掛伝動体の終端を最下段の段台に固定し、巻掛伝動体の始端には巻掛伝動体を引張する付勢手段を設けた段台連動手段を、少なくとも各段台の幅方向左右に配置すると共に、各段台連動手段を連動させることにより、又は、前記段台連動手段と、上下で隣接する段台間に、上段の段台が下段の段台をその往復直線軌道に沿って案内支持する直線運動案内手段を設けることにより、各段台を一連の巻掛伝動体で連繋し、引出し又は押入れ時における各段台の真っ直ぐで安定した進退移動を可能とする。
又、上記段台連動手段を設けると共に、上下で隣接する段台同士間には、中間部位を相互に支点としてＸ字状に交差する同長のリンクの前後で対峙する一端部を各段台に枢着すると共に、他端部を各段台の幅方向にスライド自在に装着することにより、各段台をリンクによって平行に前後移動する様に連繋し、引出し又は押入れ時における各段台の真っ直ぐでより安定した進退移動を可能とする。
又、最下段及び最上段の段台を除く各段台が設定された引出し長さ（踏面）を突出した引出し完了状態で、前記各段台の後退移動を抑止すると共に、下段の段台が上段の段台下部に収納完了した状態で、前記抑止を解除する様に成した順行押入れ手段と、蹴込が同一垂直面上に位置する様に各段台を最上段の段台下部に収納した収納形態において、最下段及び最上段の段台を除く各段台の前進移動を抑止すると共に、下段の段台の引出し完了状態で、前記抑止を解除する様に成した順行引出し手段とを設けることにより、確実に最下段より順次に引出し又は押入れできる様にして、上記課題を解決する。
【０００５】
【発明の実施の形態】
以下本発明の一実施例を図面に基づいて説明する。
図に示す収納式階段台の本体Ａは、積重載置した複数の段台（図示例では４段）１、２、３、４を引出し自在又は押入れ自在に設けている。
各段台１、２、３、４は、その上面に踏面Ｌを含む横長矩形状の踏板Ｔ１、Ｔ２、Ｔ３、Ｔ４と、該踏板Ｔ１、Ｔ２、Ｔ３、Ｔ４の前端より垂下形成した同一高さの蹴込Ｋを設けている。
最上段の段台４を除く各段台１、２、３は、踏板Ｔ１、Ｔ２、Ｔ３の奥行き及び幅の夫々を同長に設定し、最上段の段台４は、各段台１、２、３より踏板Ｔ４の奥行き及び幅を長く設定している。
踏板Ｔ１、Ｔ２、Ｔ３、Ｔ４は、その下面に角パイプを適宜に配設して補強して成り、踏板Ｔ１下部には、その前後端部に床面Ｇを走行するキャスター付き脚部Ｆ１、Ｒ１を複数垂設し、踏板Ｔ２、Ｔ３下部には、その後端部に床面Ｇを走行するキャスター付き脚部Ｒ２、Ｒ３を複数垂設すると共に、前端部に下段の段台１、２の踏板Ｔ１、Ｔ２上を転動するキャスター付き脚部Ｆ２、Ｆ３を複数垂設している。
又、踏板Ｔ４下部には、その４隅に床面Ｇに接地する前後脚部ｆ４、Ｒ４を垂設し、前後脚部ｆ４、Ｒ４間に床面Ｇに接地する左右一対の中間脚部ＣＲ４を垂設すると共に、後方脚部Ｒ４間に床面Ｇに接地する段台幅に応じて適宜本数（図示例では各４本）の後方支持脚部ｒ４を垂設し、前後脚部Ｆ４の中間部位に下段の段台３の踏板Ｔ３を転動する左右一対のキャスター付き脚部Ｆ４を垂設している。
段台１、２、３の前後脚部Ｆ１、Ｆ２、Ｆ３、Ｒ１、Ｒ２、Ｒ３は、図示例の様に、段台幅に応じて適宜本数（図示例では各４本）を設けており、後方脚部Ｒ１、Ｒ２、Ｒ３は段台１、２、３の前後動によって相互に衝突しない様に配置している。
【０００６】
後方脚部Ｒ１、Ｒ２、Ｒ３の配置にあっては、各段台１、２、３、４の各蹴込Ｋが同一垂直面上に配する様に、最上段の段台４下部に各段台１、２、３が収納された状態（以下、単に収納形態と称する。）において、各段台１、２、３の後方脚部Ｒ１、Ｒ２、Ｒ３は左右方向で同一線上に並列配置、即ち下段のもの程内側に配置する様に成しており、このため、最下段の段台１の踏板Ｔ１には、収納形態において後方脚部Ｒ１と並列する後方脚部Ｒ２、Ｒ３に対応して切欠５を形成し、段台２の踏板Ｔ２にも同様に、後方脚部Ｒ２と並列する後方脚部Ｒ３に対応して切欠６を形成している。
従って、各段台１、２、３が上段の段台２、３、４の蹴込Ｋより同一の踏面Ｌを突出した階段状の状態（以下、単に階段形態と称する。）から収納形態に変形する時に、段台１、２の切欠５、６に段台２、３の後方脚部Ｒ２、Ｒ３が係合することで、本体Ａはその最下段より順次に押入れ自在に連繋する様に成している（図５、６参照）。
尚、本実施例では、最上段の段台４の脚部ｆ４、ＣＲ４、Ｒ４、ｒ４には、キャスターを設けていないが、ストッパー付きのキャスターを設け、本体Ａを移動自在と成しても良く、この場合において、段台１、２、３の引出し及び押入れ時には、脚部ｆ４、ＣＲ４、Ｒ４、ｒ４のキャスターに取付けられたストッパーにてキャスターの回転を抑止し、最上段の段台４が不用意に動かない様にし、支障なく各段台１、２、３が進退移動できる様にしている。
【０００７】
そして、本体Ａは、各段台１、２、３を順次に引出し自在に連繋するために、上下で隣接する段台１、２、３、４には、段台１、２、３の設定された同一の引出し長さ（踏面）Ｌに対応して相互に係止するストッパー手段Ｓを設けている。
このストッパー手段Ｓは、下段の段台１、２、３の後端部左右に上方突出する様に配置した係止部７と、下段の段台１、２、３が上段の段台２、３、４の蹴込Ｋより設定された踏面Ｌを突出した時に、左右の係止部７を制止させる様に上段の段台２、３、４に設けた左右一対の当止め板８とから成る。
係止部７は、段台１、２、３の後端部に踏板Ｔ１、Ｔ２、Ｔ３より上方突出すると共に、蹴込Ｋと平行に配設した支持板に、その背面より貫通螺着したボルトであり、該ボルトの先端を、前方脚部Ｆ２、Ｆ３、Ｆ４のキャスター後部に対応する様に、蹴込Ｋと平行に配設した当止め板８へ指向させており、支持板正面からのボルト突出長を調節して各段台１、２、３の踏面Ｌを調整できる様に成している。
段台２、３、４に設けた各当止め板８は、収納形態で同一垂直線上にあり、段台２、３に設けた当止め板８は、左右端部寄りに設けた前方脚部Ｆ２、Ｆ３のキャスター後部に配置し、段台４に設けた当止め板８は、段台４の左右端部寄りに垂下形成し、段台２、３、４の当止め板８に対応する様に、係止部７が段台１、２、３に設けられている。
このストッパー手段Ｓにより、収納形態で、最下段の段台１を引き出すと、該段台１の係止部７が設定された踏面Ｌを突出した時点で上段の段台２の当止め板８に係止して段台２を引出し、同様に段台２が段台３を引出し、段台３の係止部７が最上段の段台４の当止め板８に係止することにより、各段台１、２、３は、上段の段台２、３、４の蹴込Ｋより同一の踏面Ｌを突出した階段形態となる。
【０００８】
そして、上記構成の本体Ａは、各種手段Ｐ、Ｗ、Ｘ、Ｙを装備している。
直線運動案内手段Ｐは、上下で隣接する段台１、２、３、４間に上段の段台２、３、４が下段の段台１、２、３をその往復直線軌道（段台１、２、３の前後方向の直線的な進退軌道）に沿って案内支持する様に構成している。
即ち、直線運動案内手段Ｐは、上段の段台２、３、４に設けた上記軌道に平行な左右一対のガイドレール９と、ガイドレール９を摺動する様に下段の段台１、２、３に設けた案内車10とから成る。
ガイドレール９は、横臥させた所定長さの角パイプを、上段の段台２、３、４の左右に設けた当止め板８の上部背面より後方へ延出する様に配設して成り、角パイプの左右相互で対向する一側面（内側面）を摺動面9aと成している。
案内車10は略円柱状に形成され、その周面を摺動面9aに摺動自在に当接する様にして下段の段台１、２、３後端部に上方突設した支軸11に回転自在に装着している。
そして、所定間隔を以て上段の段台２、３、４の左右に固定された各ガイドレール９と、該ガイドレール９の摺動面9aに沿って摺動する様に下段の段台１、２、３の左右に配された案内車10とにより、各段台１、２、３の幅方向の動きを規制し、各段台１、２、３が上記軌道に沿って真っ直ぐに進退移動する様に設定している。
【０００９】
次に、直線運動案内手段Ｐの他の実施例を図10〜12に基づき説明する。
この直線運動案内手段Ｐは、上下で隣接する段台１、２、３、４同士間に、中間部位を相互に支点としてＸ字状に交差する同長のリンク12、13の前後で対峙する一端部12ａ、13ａを各段台１、２、３、４に枢着すると共に、他端部12ｂ、13ｂを各段台１、２、３、４の幅方向にスライド自在に装着して成る。
下段の段台１、２、３の中間に位置する一対の後方脚部Ｒ１、Ｒ２、Ｒ３上方の前端部間にリニアレール14を水平に架設している。
又、上段の段台２、３の中間に位置する一対の後方脚部Ｒ２、Ｒ３の後端部間と、段台４の後方支持脚部ｒ４の前端部間の夫々に、下段の段台１、２、３に設けたリニアレール14に平行なリニアレール15を架設している。
そして、前後一対のリニアレール14、15の一側（平面視において左側）に、前後で対峙する各リンク12、13の一端部12ａ、13ａの夫々を枢着し、他端部12ｂ、13ｂをリニアレール14、15の他側（平面視において右側）にスライド自在に装着している。
各リンク12、13の長さ、一端部12ａ、13ａの枢着位置やその他の諸条件は、段台１、２、３の収納形態及び設定された踏面Ｌに対応して設定されており、隣接する上下の段台１、２、３、４がリンク12、13により上記の様に連繋されることで下段の段台１、２、３は上段の段台２、３、４に対し常に平行、即ち往復直線軌道に沿って真っ直ぐに進退移動する。
【００１０】
段台連動手段Ｗは各段台１、２、３、４を連動して進退移動する様に構成したものであり、図において、段台連動手段Ｗは、各段台１、２、３、４（本体Ａ）の幅方向左右に設られ、ガイドレール９と案内車10から成る直線運動案内手段Ｐを併設しているが、リンク12、13から成る直線運動案内手段Ｐを併設しても良く、これらの直線運動案内手段Ｐを併設しなくても、少なくとも本体Ａの左右に各手段Ｗが相互に連動する様に設ければ、各段台１、２、３、４は往復直線軌道に沿って進退移動する。
尚、直線運動案内手段Ｐの動作（特に、リンク12、13から構成されるもの）に支障がない位置に、単体の段台連動手段Ｗを設けても良く、この場合でも、往復直線軌道に沿って進退移動する（図示せず）。
この段台連動手段Ｗは、最下段の段台１後部から始端16ａを発する巻掛伝動体16を、各段台１、２、３、４の前後に配置した回転車17、18、19にジグザグに巻き掛け、最上段の段台４の後方の回転車19は、その他の段台１、２、３の後方の回転車18よりも後方に配置し、最上段の段台４の後方回転車19に巻き掛けた巻掛伝動体16を最上段の段台４の下部に配置した回転車20に巻き掛けると共に、巻掛伝動体16の終端16ｂを最下段の段台１に固定している。
巻掛伝動体16は好ましくはチェーンであるが、ベルトやロープであっても良く、回転車17、18、19、20は、巻掛伝動体16の仕様に応じスプロケット、ベルト車、又はロープ用みぞ車が選択使用される。
本実施例では巻掛伝動体16をチェーン、回転車17、18、19、20をスプロケットとして以下説明する。
巻掛伝動体16の始端16ａ及び終端16ｂは、最下段の段台１下部の後端部寄りに、蹴込Ｋに平行に配設した基板21に固定され、始端16ａは、基板21に固定され、且つ巻掛伝動体16を常時に緊張する様にコイルスプリングを内装したバネ装置22に連結されることで基板21に固定されている。
最上段の段台４を除く各段台１、２、３後端部には、上下一対の回転車18ａ、18ｂを回転自在に設け、下方回転車18ｂは踏板Ｔ１、Ｔ２、Ｔ３下方に、上方回転車18ａは踏板１、Ｔ２、Ｔ３上方に夫々配置し、最下段の段台１を除く各段台２、３、４前端部の踏板Ｔ２、Ｔ３、Ｔ４下部にして、且つ上方回転車18ａより上方位置には、前方回転車17を回転自在に設け、前方回転車17と後方回転車18とは上下で食い違う様に配置されており、前後の回転車17と後方回転車18の軸距は収納形態において一定に設定している。
尚、後方回転車18（18ａ、18ｂ）は、前方回転車17より小径な上下一対のものを示したが、前方回転車17と略同径な回転車18を単体で使用しても良く、当然ながらこの場合にあっても前後の回転車17、18は上下で食い違いに配置している。
最上段の段台４の後方回転車19は、本体Ａの最後尾と成る後方支持脚部ｒ４の上部に回転自在に配置して成り、段台４における前後の回転車17、19間に巻き掛けた巻掛伝動体16が同一水平面上に配する様に後方回転車19の軸位置を設定しており、後方支持脚部ｒ４の下部にして、且つ基板21に対応した位置に案内用の回転車20を回転自在に配置している。
又、段台４の後方支持脚部ｒ４において、後方回転車19と案内回転車20との間には、巻掛伝動体16のテンション用の緊張回転車23を回転自在に配置している。
以上の様に、各段台１、２、３、４に設けた前後の回転車17、18、19に、最下段の段台１の後方（基板21）より始端16ａを発する巻掛伝動体16を前後にジグザグに巻き掛けると共に、最上段の段台４の後方回転車19から緊張回転車23、案内回転車20を介して巻掛伝動体16の終端16ａを基板21へ達する様に配している。
又、段台４において、後方脚部Ｒ４の左右に設けた後方回転車19と案内回転車20の夫々は、同軸にて同一回転する様に成し、巻掛伝動体16により、左右の段台連動手段Ｗは連動する様に成している。
そして、段台連動手段Ｗは、正逆回転自在な電動モータを駆動源Ｍとして、その駆動軸に固定した駆動回転車Ｍ１を、案内回転車20の軸に固定した従動回転車Ｍ２に無端チェーンＣを巻き掛けることにより自動化している。
尚、本実施例にあっては、段台連動手段Ｗを自動化したものを示したが、駆動源Ｍ、駆動及び従動回転車Ｍ１、Ｍ２等を設けずに、手動操作にて各段台１、２、３、４を引出し及び押入れ操作する様にしても良い。
【００１１】
順行押入れ手段Ｘは、最下段及び最上段の段台１、４を除く各段台２、３が設定された引出し長さ（踏面）Ｌを突出した引出し完了状態で、前記各段台２、３の後退移動を抑止すると共に、蹴込Ｋが同一垂直面上に位置する様に下段の段台１、２が上段の段台２、３下部に収納完了した状態で、前記抑止を解除する様に成しており、以下に順行押入れ手段Ｘを詳述する。
中段の段台２、３の左右の後方脚部Ｒ２、Ｒ３の外側面において、下段の段台１、２の蹴込Ｋに略対向する位置に、前端部24ａが後端部24ｂ及び支点24ｃより下方に位置する揺動杆24の支点24ｃを枢着している。
この揺動杆24は、内角の１つが鈍角な略三角板状から成り、鈍角を有する頂点部を支点24ｃとし、その他の頂点部の夫々を前端部24ａ及び後端部24ｂと成し、支点24ｃから前端部24ａまでの距離を支点から後端部24ｂまでの距離より短く設定し、後端部24ｂには、所定径の円板25の中心に突設した軸の先端を固定し、該軸には円筒状のコロ26を回転自在に遊嵌している。
又、上段の段台３、４の後方脚部Ｒ３、中間脚部ＣＲ４には、揺動杆24の後端部24ｂ（コロ26）をその支点24ｃより上方で支持する前後に長い軌道27を設けている。
この軌道27は、コロ26より若干幅小にして、揺動杆24の支点24ｃより若干上方で水平配置し、軌道27の前端には、中段の段台２、３の引出し完了状態で、揺動杆24のコロ26が位置する鉤状の段落28を凹設している。
従って、段台２、３の引出し完了状態では、これらに設けた揺動杆24のコロ26が段落28の立ち上がり部28ａによって後方移動が阻まれ、段台２、３を後退できない様にしてその状態を維持する様に成している。
又、揺動杆24の前端部24ａは、上記引出し完了状態において、後方脚部Ｒ２、Ｒ３の夫々より前方へ突出する様に設定している。
下段の段台１、２左右の後方脚部Ｒ１、Ｒ２の前端外側には、段台１、２が中段の段台２、３下部に収納完了された状態で、後方脚部Ｒ２、Ｒ３の夫々より前方へ突出した揺動杆24の前端部24ａを押圧して軌道27上方に揺動杆24のコロ26を揺動保持する掛け外し片29を突設している。
従って、段台１、２が段台２、３下部に収納完了された状態では、段台２、３の揺動杆24のコロ26が軌道27上方に位置して、揺動杆24による段台２、３の後退移動の抑止が解除され、各段台１、２、３は下方より順次に後退移動する。
【００１２】
順行引出し手段Ｙは、収納形態において、最下段及び最上段の段台１、４を除く各段台２、３の前進移動を抑止すると共に、下段の段台１、２の引出し完了状態で上段の段台２、３の前記抑止を解除する様に成しており、以下に順行引出し手段Ｙについて詳述する。
最上段及び最下段の段台１、４を除く各段台２、３において、踏板Ｔ２、Ｔ３下部の後方左右にブラケット30を垂下形成し、該ブラケット30に支点を枢軸31ａとして上下に揺動する梃子杆31を取付けている。
この梃子杆31は、その後端部が段台２、３の後端より突出して成り、梃子杆31の後端部には、上方へ立ち上がった鉤状の掛止部32と、該掛止部32に連続した後方降下状の傾斜部33とを設け、前端部には、梃子杆31の軸線に対し略垂直な凸部34を設けると共に、該凸部34の下部には枢軸31ａに平行な係合棒35を突設しており、梃子杆31は外力がかかっていない状態では、ブラケット30の後端に配置した梃子杆31の当止め36により水平となる様に設定している。
最上段の段台４の後方支持脚部ｒ４間に架設した支持板37には、傾斜部33が摺接すると共に、掛止部32が下方より係合する繋止部38を前方突設している。
繋止部38は、各梃子杆31に対応して支持板37に前方突設した左右一対の帯状ブラケット39の先端間に介装した短尺な杆体から成り、収納形態において繋止部38に掛止部32が係合して段台２、３の前方移動が抑止され、繋止部38への掛止部32の係合は、各段台２、３が収納形態へ変形するための後退移動時に、水平状態にある梃子杆31の傾斜部33が繋止部38に摺接することで下方へ押圧され、掛止部32が繋止部38に対応した時にこれに下方より係合し、その後梃子杆31が水平と成って掛止部32を繋止部38に係合した状態が維持される。
下段の段台１、２の踏板Ｔ１、Ｔ２の後部上面には、引出し完了状態で梃子杆31の凸部34の係合棒35を上方へ押圧保持する掛け外し体40を設けている。
この掛け外し体40は、前方降下状の傾斜部40ａと、該傾斜部40ａの最高部より連続した水平部40ｂとを設けた略台形板から成り、段台１、２、３の引出し時において、下段の段台１、２における掛け外し体40の傾斜部40ａ下方が、上段の段台２、３の係合棒35に接触すると、該係合棒35が傾斜部40ａに沿って摺接するため、下段の段台１、２は上段の段台２、３の蹴込Ｋより設定された踏面Ｌを突出するまで支障なく前方移動できると共に、係合棒35が傾斜部40ａの下方に接触して水平部40ｂ上まで移動する迄の間に梃子杆31の掛止部32は徐々に押し下げられ、下段の段台１、２の引出しが完了して係合棒35が水平部40ｂ上に位置すると、繋止部38に対する掛止部32の係合が完全に解除され、その状態が保持される。
【００１３】
次に本体Ａの動作について説明する。
収納形態では、最上段の段台４下部に段台１、２、３が順次に積重収納され、各段台１、２、３、４の各蹴込Ｋを同一垂直面上で上下に整列配置すると共に、段台１、２、３の後方脚部Ｒ１、Ｒ２、Ｒ３は左右方向で同一線上に並列配置、即ち踏板Ｔ１の切欠５に後方脚部Ｒ１に隣接して後方脚部Ｒ２、Ｒ３を配すると共に、踏板Ｔ２の切欠６に後方脚部Ｒ２に隣接して後方脚部Ｒ３を配している。
かかる状態にあっては、段台２、３に設けた梃子杆31の掛止部32が繋止部38に係合して梃子杆31はその水平状態が維持されており、段台２、３は掛止部32の繋止部38への係合により前進移動が抑止されている。
又、段台２、３に設けた揺動杆24は、その前端部24ａが下段の段台１、２に設けた掛け外し片29で押圧され、後端部24ｂのコロ26が軌道27の上方で保持されている。
【００１４】
上記収納形態から駆動源Ｍを作動させ、案内回転車20を図14において右回りに回転させ、巻掛伝動体16の終端16ｂを前方へ繰り出す。
この繰り出しにより、各回転車17、18、19が同一方向に回転するが、段台２、３は上記の通り前進移動が抑止されているので、終端16ｂを前方へ繰り出した長さ分だけ段台２の前方回転車17と最下段の段台１の後方回転車18との間の巻掛伝動体16が短くなり、段台１のみが前進する。
この時、段台１は左右で連動している段台連動手段Ｗの巻掛伝動体16によって左右の移動距離が同一となるため、往復直線軌道に沿って真っ直ぐに移動する。
この様に、段台１が前進すると、これに設けた掛け外し体40の傾斜部40ａが、段台２の係合棒35に接触し、該係合棒35が傾斜部40ａを摺動して段台２の梃子杆31の掛止部32を繋止部38との係合解除方向（下方）へ徐々に揺動させる。
一方、段台１の掛け外し片29は、段台２の揺動杆24の前端部24ａから離間して上記押圧を解除するため、コロ26は、その軌道27上に接地する。
そして、段台１の前進でその係止部７が段台２の当止め板８に当接すると、段台１が段台２の蹴込Ｋより設定された踏面Ｌを突出して引出し完了状態となる。
同時に、段台２の係合棒35が段台１の掛け外し体40の水平部40ｂ上に位置し、上記掛止部32を繋止部38の下方へ離間させ、段台２が前進可能状態と成るため、引出し完了した段台１と共に段台２が前方へ直進する。
段台２が前進すると、段台１と同様に順行押入れ手段Ｘ及び順行引出し手段Ｙの各部が同様に動作する。
段台１と異なる点は、段台２の前進により、これに設けた揺動杆24のコロ26がその軌道27上を前方へ走行し、段台２が段台２の蹴込Ｋより設定された踏面Ｌを突出して引出し完了状態となった時に、コロ26が軌道27前端の段落28に落ち込むことである。
そして、段台３が段台２と同様に前進移動して、最上段の段台４の蹴込Ｋより設定された踏面Ｌを突出すると駆動源Ｍは停止し、本体Ａは最上段を除く各段の踏面Ｌが一定の階段状（階段形態）に変形完了する。
又、段台２、３は、夫々に設けた揺動杆24のコロ26がその軌道27前端の段落28に位置し、該段落28の立ち上がり部28ａによりコロ26が後退できないため、後退移動が抑止された状態にある。
【００１５】
階段形態の本体Ａを収納形態へ変形させるには、上記と逆の方向に駆動源Ｍを回転させ、巻掛伝動体16の終端16ｂを後方へ引き戻す。
上述の様に、後退できるのは最下段の段台１のみであるため、最初は段台１が後退し、この後退中においても前進と同様に左右で連動した巻掛伝動体16によって往復直線軌道に沿って真っ直ぐに移動すると共に、後退中に上記と逆の手順で掛け外し体40がその水平部40ｂ上にある段台２の係合棒35より離間すると、梃子杆31は水平状態に復帰する。
又、段台２の蹴込Ｋと同一垂直面上に段台１の蹴込Ｋが位置すると共に、踏板Ｔ１の切欠５に段台２の後方脚部Ｒ２が位置して段台１の後方脚部Ｒ１と左右で並列すると、段台２の下部に段台１が収納完了する。
この時、段台１の掛け外し片29が揺動杆24の前端部24ａを押圧して段落28上のコロ26をその軌道27上方へ位置させ、段台２の後退抑止を解除する。
続いて巻掛伝動体16により段台１が後方へ引き戻されるが、段台２は後退可能状態であると共に、切欠５により段台２の後方脚部Ｒ２が係合しているため、段台２は段台１に積重された状態で共に後退する。
同様な手順で段台３の蹴込Ｋと同一垂直面上に段台１、２の蹴込Ｋが同一垂直面上に位置すると共に、段台３の後方脚部Ｒ３が踏板Ｔ１、Ｔ２の切欠５、６に位置して各段台１、２、３の後方脚部Ｒ１、Ｒ２、Ｒ３が左右で並列すると、段台３下部に段台１、２が収納完了する。
そして、上記と同様に段台３の後退抑止が解除されると共に、段台２、３の後方脚部Ｒ２、Ｒ３が切欠５で係合されながら後退することで、引き続き段台１、２、３が最上段の段台４の下部に収納される。
段台４へ積重された段台１、２、３が収納されるに際し、段台２、３の梃子杆31の傾斜部33が繋止部38に接触すると、水平状態にあった梃子杆31の掛止部32は下方へ揺動し、各段台１、２、３の蹴込Ｋが段台４の蹴込Ｋと同一垂直面上に位置した収納完了状態で、段台２、３の掛止部32が繋止部33に係合する。
【００１６】
ここに、直線運動案内手段Ｐの動作のみを説明する。
ガイドレール９と案内車10から成るものでは、収納形態において、上段の段台２、３、４の左右に設けたガイドレール９の摺動面9a後端に、下段の段台１、２、３後端部に設けた案内車10が位置しており、各段台１、２、３が前進すると、摺動面9aに沿って案内車10が前方へ移動する。
下段の段台１、２、３は、左右対称位置に設けた案内車10が上段の段台２、３、４の左右で平行配置されたガイドレール９に沿って摺動するため、下段の段台１、２、３は往復直線軌道に沿って常に真っ直ぐに案内される様に前進する。
そして、階段形態では、上段の段台２、３、４の左右に設けたガイドレール９の摺動面9a前端に、下段の段台１、２、３後端部に設けた案内車10が位置し、これより収納形態へ変形するに際しても下段の段台１、２、３は前進と同様に往復直線軌道に沿って常に真っ直ぐに案内される様に後退する。
【００１７】
リンク12、13からなる直線運動案内手段Ｐでは、収納形態において、上下で隣接する段台１、２、３、４同士間の夫々に設けたリンク12、13は、スライド自在な他端部12ｂ、13ｂがリニアレール14、15上を一端部12ａ、13ａより最も離間する様に位置しており、リンク12、13で連繋された各段台１、２、３、４同士は相互に平行に移動する様にリンク12、13によって制御されるため、各段台１、２、３は往復直線軌道に沿って常に真っ直ぐに前進する。
前進時には、リンク12、13の他端部12ｂ、13ｂがリニアレール14、15上を一端部12ａ、13ａへ近づく様にスライドする。
階段形態から収納形態への変形にあっては、リンク12、13の他端部12ｂ、13ｂがリニアレール14、15上を上記とは逆方向にスライドし、上記と逆の手順で各段台１、２、３は往復直線軌道に沿って常に真っ直ぐに後退する。
【００１８】
【発明の効果】
要するに本発明は、最下段の段台１後部から始端16ａを発する巻掛伝動体16を、各段台１、２、３、４の前後に配置した回転車17、18、19にジグザグに巻き掛け、最上段の段台４の後方回転車19は、各段台１、２、３の後方回転車18よりも後方に配置し、最上段の段台４の後方回転車19に巻き掛けた巻掛伝動体16を最上段の段台４下部に別途配置した回転車20に巻き掛けると共に、巻掛伝動体16の終端16ｂを最下段の段台１に固定した段台連動手段Ｗを、少なくとも各段台１、２、３、４の幅方向左右に配置すると共に、各段台連動手段Ｗを連動させたので、各段台１、２、３はその幅方向左右が巻掛伝動体16により連繋されているため、往復直線軌道に沿って真っ直ぐに安定的に進退移動できる。
しかも、段台連動手段Ｗにおける巻掛伝動体16の一端16ａには巻掛伝動体16を引張するバネ装置（付勢手段）22を設けて成るので、各段台１、２、３の進退移動に対応して付勢手段22が収縮することにより、巻掛伝動体16を常に緊張させられ、各段台１、２、３をスムーズに動作させ、各段台１、２、３の作動安定化を図ることができる。
【００１９】
又、各段台１、２、３の進退移動は、最下段の段台１から引出し又は押入れても、下段の段台１、２には上段の段台２、３の荷重が加わっている関係上、必ずしも一定の引出し又は押入れ過程を経てその最終形態である階段形態又は収納形態へ変形するとはいえないが、積重載置した複数の段台１、２、３、４を順次に引出し自在又は押入れ自在に連繋してなるので、各段台１、２、３が上記の様に真っ直ぐ進退移動することと相俟って、階段形態では、各段台１、２、３はその幅方向に渡り踏面Ｌを一定と成すことができると共に、収納形態では、各段台１、２、３、４は蹴込Ｋが同一垂直面上に位置でき、所望の最終形態に変形させることができる。
【００２０】
請求項２に係る発明では、上記段台連動手段Ｗと、上下で隣接する段台１、２、３、４間に、上段の段台２、３、４が下段の段台１、２、３をその往復直線軌道に沿って案内支持する直線運動案内手段Ｐを設けたので、段台連動手段Ｗが単体であっても、直線運動案内手段Ｐにより各段台１、２、３の進退中に左右にふらつくことなく往復直線軌道に沿って真っ直ぐ移動でき、上記と同様なる効果を奏する。
【００２１】
請求項３に係る発明では、上下で隣接する段台１、２、３、４同士間には、中間部位を相互に支点としてＸ字状に交差する同長のリンク12、13の前後で対峙する一端部12ａ、13ａを各段台１、２、３、４に枢着すると共に、他端部12ｂ、13ｂを各段台１、２、３、４の幅方向にスライド自在に装着したので、引出し又は押入れ時において、各段台１、２、３は進退方向へ相互に平行移動すると共に、段台１、２、３、４は順次に引出し自在又は押入れ自在に連繋してなるので、上記と同様に階段形態では、各段台１、２、３は踏面Ｌが幅方向で一定と成すことができると共に、収納形態では各段台１、２、３、４の蹴込Ｋが同一垂直面上に位置する様に成すことができる。
しかも、本発明では、上記のリンク12、13に加え、段台連動手段Ｗを設けて成るので、より一層各段台１、２、３の連繋がとれ、往復直線軌道に沿った安定的な進退移動が可能となる。
【００２２】
請求項４に係る発明では、段台連動手段Ｗの回転車20を駆動源Ｍに係合したので、各段台１、２、３を自動的に動作させることができると共に、巻掛伝動体16によって各段台１、２、３は上記の如く連動しているため、１機構にて各段台１、２、３を進退移動させられ、進退移動用と後退移動用の各機構を装備する必要もない。
【００２３】
請求項５、６に係る発明では、中段の段台２、３の適所に、前端部24ａが後端部24ｂ及び支点24ｃより下方に位置する揺動杆24の支点24ｃを枢着し、上段の段台３、４には揺動杆24の後端部24ｂを支持する前後に長い軌道27を設けると共に、該軌道27の前端には、中段の段台２、３の引出し完了状態で、前記後端部24ｂが位置する鉤状の段落28を凹設し、下段の段台１、２には、該段台１、２が中段の段台２、３下部に収納完了した状態で、揺動杆24の前端部24ａを押圧して軌道27上方に揺動杆24の後端部24ｂを揺動保持する掛け外し片29を設けて成ることにより、最下段及び最上段の段台１、４を除く各段台２、３が設定された引出し長さ（踏面）Ｌを突出した引出し完了状態で、各段台２、３の後退移動を抑止すると共に、蹴込Ｋが同一垂直面上に位置する様に下段の段台１、２が上段の段台２、３下部に収納完了した状態で、前記抑止を解除する様に成したので、階段形態から収納形態へ変形させる際、最下段の段台１より順次に規則的で見栄えの良い押入れを確実に行えると共に、階段形態において段台２、３が不用意に後退しない。
【００２４】
請求項７、８に係る発明では、最上段及び最下段の段台１、４を除く各段台２、３の後部に、支点を枢軸31ａとして上下に揺動する梃子杆31を設け、該梃子杆31の後端には、上方へ立ち上がった鉤状の掛止部32と、該掛止部32に連続した後方降下状の傾斜部33とを設け、最上段の段台４の後部には、傾斜部33が摺接すると共に、掛止部34が下方より係合する繋止部38を設け、下段の段台１、２の後方上部には、該段台１、２の引出し完了状態で梃子杆31前端を上方へ押圧保持する掛け外し体40を設けることにより、収納形態において、最下段及び最上段の段台１、４を除く各段台２、３の前進移動を抑止すると共に、下段の段台１、２の引出し完了状態で、前記抑止を解除する様に成したので、収納形態から階段形態へ変形させる際、最下段の段台１より順次に規則的で見栄えの良い引出しが確実に行える。
この様に、下段が完全に引出されてからでなければ、その上段を引き出せないので、各段台１、２、３の中途半端な引出し状態は皆無であり、全段を引出す必要がない場合であっても、最下段より夫々の踏面Ｌが整った所望段数の階段台を得ることができる。
【００２５】
そして、上記の順行押入れ手段Ｘ及び順行引出し手段Ｙを装備することにて、順行引出し手段Ｙにより、引出し時には、下段の段台１、２が引出し完了するまで、上段の段台２、３が動作しないため、各段台１、２、３が幅方向において一様に設定された引出し長さ（踏面）Ｌを以て所望の階段形態へ確実に変形できると共に、最下段より順次に引出しできる。
又、順行押入れ手段Ｘにより、押入れ時には、下段の段台１、２が上段の段台２、３下部に収納完了するまで、上段の段台２、３が動作しないため、各段台１、２、３、４の蹴込Ｋが同一垂面上に配する所望の収納形態へ確実に変形できると共に、最下段より順次に押入れできる等その実用的効果甚だ大である。
【図面の簡単な説明】
【図１】階段形態での内部構造を示す階段台の平面視一部省略断面図である。
【図２】階段形態における階段台の一部破断側面図である。
【図３】収納形態における階段台の一部破断側面図である。
【図４】階段形態における階段台の正面方向から見た右側半断面図である。
【図５】階段形態における各段台の後方脚部の平面視右半分の配置図である。
【図６】収納形態における各段台の後方脚部の平面視右半分の配置図である。
【図７】ストッパー手段と直線運動案内手段を示す階段形態での階段台の側面視一部省略断面図である。
【図８】ストッパー手段と直線運動案内手段を示す収納形態での階段台の側面視一部省略断面図である。
【図９】直線運動案内手段を示す階段台の背面視要部拡大図である。
【図１０】直線運動案内手段の他例を示す階段形態での階段台の平面視一部省略断面図である。
【図１１】図１０の側面視一部省略側面図である。
【図１２】収納形態での階段台の側面視一部省略断面図である。
【図１３】段台連動手段を示す階段形態での階段台の側面視一部省略断面図である。
【図１４】段台連動手段を示す収納形態での階段台の側面視一部省略断面図である。
【図１５】順行押入れ手段を示す階段形態での階段台の一部破断側面図である。
【図１６】順行押入れ手段を示す収納形態での階段台の一部破断側面図である。
【図１７】順行押入れ手段を示す階段形態での階段台の正面視要部拡大断面図である。
【図１８】順行押入れ手段の動作状態を示す平面図であり、(a) は階段台の階段形態時の状態を示す図、(b) は階段台の収納形態時の状態を示す図である。
【図１９】順行引出し手段を示す階段形態での階段台の側面視一部省略断面図である。
【図２０】順行引出し手段を示す収納形態での階段台の側面視一部省略断面図である。
【図２１】順行引出し手段を示す階段形態での階段台の背面視要部拡大図である。
【図２２】順行引出し手段の動作状態を示す平面図であり、(a) は階段台の階段形態時の状態を示す図、(b) は階段台の収納形態時の状態を示す図である。
【符号の説明】
１    段台
２    段台
３    段台
４    段台
12    リンク
13    リンク
12ａ  一端部
13ａ  一端部
12ｂ  他端部
13ｂ  他端部
16    巻掛伝動体
16ａ  始端
16ｂ  終端
17    回転車
18    回転車
19    回転車
20    回転車
22    付勢手段
24    揺動杆
24ａ  前端部
24ｂ  後端部
24ｃ  支点
27    軌道
29    掛け外し片
31    梃子杆
31ａ  枢軸
32    掛止部
33    傾斜部
38    繋止部
40    掛け外し体
Ｍ    駆動源
Ｌ    引出し長さ（踏面）
Ｐ    直線運動案内手段
Ｘ    順行押入れ手段
Ｙ    順行引出し手段
Ｗ    段台連動手段
【図１】
0003766790.tif 000002
【図２】
0003766790.tif 000003
【図３】
0003766790.tif 000004
【図４】
0003766790.tif 000005
【図５】
0003766790.tif 000006
【図６】
0003766790.tif 000007
【図７】
0003766790.tif 000008
【図８】
0003766790.tif 000009
【図９】
0003766790.tif 000010
【図１０】
0003766790.tif 000011
【図１１】
0003766790.tif 000012
【図１２】
0003766790.tif 000013
【図１３】
0003766790.tif 000014
【図１４】
0003766790.tif 000015
【図１５】
0003766790.tif 000016
【図１６】
0003766790.tif 000017
【図１７】
0003766790.tif 000018
【図１８】
0003766790.tif 000019
【図１９】
0003766790.tif 000020
【図２０】
0003766790.tif 000021
【図２１】
0003766790.tif 000022
【図２２】
0003766790.tif 000023